(57)【要約】【課題】制御用ＩＣへの駆動用電圧の供給に関し、モードに応じた必要な切替えを、より簡素化、低コスト化した構成により実現する。【解決手段】所定の制御用ＩＣを駆動させるための駆動用電圧を当該制御用ＩＣに出力する定電圧出力部と、前記制御用ＩＣの動作モード時には第１電圧を出力し、当該動作モード時よりも省電力状態である当該制御用ＩＣの待機モード時には当該第１電圧よりも低い第２電圧を出力する電圧供給部から、電圧を入力する電圧入力部と、前記電圧入力部による前記第１電圧の入力に応じて、前記定電圧出力部による前記駆動用電圧の出力を実行させ、前記電圧入力部による前記第２電圧の入力に応じて、前記定電圧出力部による前記駆動用電圧の出力を停止させる切替部と、を備える電源制御回路。【選択図】図２
2015114684.tif 000002
【特許請求の範囲】
【請求項１】
所定の制御用ＩＣを駆動させるための駆動用電圧を当該制御用ＩＣに出力する定電圧出力部と、
前記制御用ＩＣの動作モード時には第１電圧を出力し、当該動作モード時よりも省電力状態である当該制御用ＩＣの待機モード時には当該第１電圧よりも低い第２電圧を出力する電圧供給部から、電圧を入力する電圧入力部と、
前記電圧入力部による前記第１電圧の入力に応じて、前記定電圧出力部による前記駆動用電圧の出力を実行させ、前記電圧入力部による前記第２電圧の入力に応じて、前記定電圧出力部による前記駆動用電圧の出力を停止させる切替部と、を備えることを特徴とする電源制御回路。
【請求項２】
前記切替部は、カソードを前記電圧入力部側に接続したツェナーダイオードを有し、前記第１電圧の入力に応じた当該ツェナーダイオードの降伏と、前記第２電圧の入力に応じた当該ツェナーダイオードの非降伏とによって、前記定電圧出力部による前記駆動用電圧の出力と当該出力の停止とを切替えることを特徴とする請求項１に記載の電源制御回路。
【請求項３】
前記定電圧出力部は、前記第１電圧を前記駆動用電圧として出力することを特徴とする請求項１または請求項２に記載の電源制御回路。
【請求項４】
前記定電圧出力部は、前記第１電圧を降圧させた第３電圧を前記駆動用電圧として出力することを特徴とする請求項１または請求項２に記載の電源制御回路。
【請求項５】
前記電圧供給部は、一次側に入力した電圧を変圧して二次側に出力する変圧部を有し、前記電圧入力部は、前記二次側に出力された前記第１電圧または前記第２電圧を入力することを特徴とする請求項１〜請求項４のいずれかに記載の電源制御回路。
【請求項６】
前記電圧供給部は、一次側に入力した電圧を変圧して二次側に出力する変圧部を有し、前記制御用ＩＣは、前記一次側への入力のスイッチングを制御するためのＩＣであり、前記電圧入力部は、前記一次側に出力された前記第１電圧または前記第２電圧を入力することを特徴とする請求項１〜請求項４のいずれかに記載の電源制御回路。
【請求項７】
所定の制御用ＩＣを搭載する電子機器であって、
前記制御用ＩＣを駆動させるための駆動用電圧を当該制御用ＩＣに出力する定電圧出力部と、
前記制御用ＩＣの動作モード時には第１電圧を出力し、当該動作モード時よりも省電力状態である当該制御用ＩＣの待機モード時には当該第１電圧よりも低い第２電圧を出力する電圧供給部から、電圧を入力する電圧入力部と、
前記電圧入力部による前記第１電圧の入力に応じて、前記定電圧出力部による前記駆動用電圧の出力を実行させ、前記電圧入力部による前記第２電圧の入力に応じて、前記定電圧出力部による前記駆動用電圧の出力を停止させる切替部と、を備える電源制御回路を搭載することを特徴とする電子機器。 
【発明の詳細な説明】
【技術分野】
【０００１】
本発明は、電源制御回路および電子機器に関する。
【背景技術】
【０００２】
テレビやレコーダー等の種々の電子機器は、機器の動作を制御するためのＩＣ（Integrated Circuit）を搭載している。また、電子機器においては、通常の動作をすることが可能な動作モードと、当該動作モード時よりも省電力状態である待機モード（スタンバイモード、あるいはスリープモード等とも言う。）とを使い分けることで、省電力化を図っている。
【０００３】
なお、節電動作中、水平偏向回路用の電圧（節電動作で約１４０Ｖから約２２Ｖに低下）を所要の電圧に分圧し、同期信号選択回路に供給することで、同期信号の判別の動作を継続させる電源回路が知られている（特許文献１参照）。また、ツェナーダイオードの作用によってスイッチングトランジスタをオフにして安定化素子の動作を停止させる構成が知られている（特許文献２参照）。
【先行技術文献】
【特許文献】
【０００４】
【特許文献１】特開平９‐２３６４９号公報
【特許文献２】特開２００６‐３３７５０４号公報
【発明の概要】
【発明が解決しようとする課題】
【０００５】
前記ＩＣに対しては、定電圧回路（レギュレーター）によって所要の駆動用電圧が供給される。従来、定電圧回路は、前記動作モードと待機モードとの一方から他方への切替えを前記ＩＣから送信される制御信号により認識し、当該制御信号に応じて前記ＩＣへの駆動用電圧の出力、出力停止等を切替えていた。しかし、このような従来の構成では、当該制御信号を定電圧回路に通知するための回路構成が必要であったため、部分点数の削減や当該削減に伴う製品のコストダウンといった効果が十分ではなかった。また前記各文献は、このような動作モードと待機モードとの切替えに応じた定電圧回路の制御に関するものではなかった。
【０００６】
本発明は少なくとも前記課題を解決するためになされたものであり、動作モードと待機モードとの切替えに応じたＩＣへの駆動用電圧の供給に関し、必要な切替えを従来よりも簡素化、低コスト化した構成により実現することが可能な電源制御回路および電子機器を提供する。
【課題を解決するための手段】
【０００７】
本発明の態様の一つは、電源制御回路は、所定の制御用ＩＣを駆動させるための駆動用電圧を当該制御用ＩＣに出力する定電圧出力部と、前記制御用ＩＣの動作モード時には第１電圧を出力し、当該動作モード時よりも省電力状態である当該制御用ＩＣの待機モード時には当該第１電圧よりも低い第２電圧を出力する電圧供給部から、電圧を入力する電圧入力部と、前記電圧入力部による前記第１電圧の入力に応じて、前記定電圧出力部による前記駆動用電圧の出力を実行させ、前記電圧入力部による前記第２電圧の入力に応じて、前記定電圧出力部による前記駆動用電圧の出力を停止させる切替部と、を備える。
【０００８】
当該構成によれば、制御用ＩＣの動作モード時には、電圧入力部は、電圧供給部から第１電圧を入力し、切替部は、当該第１電圧の入力に応じて、定電圧出力部による制御用ＩＣへの駆動用電圧の出力を実行させる。一方、制御用ＩＣの待機モード時には、電圧入力部は、電圧供給部から第２電圧を入力し、切替部は、当該第２電圧の入力に応じて、定電圧出力部による制御用ＩＣへの駆動用電圧の出力を停止させる。つまり本発明では、動作モードと待機モードとの一方から他方への切替えを、制御用ＩＣから切替部や定電圧出力部へ制御信号により通知する必要がなく、当該通知のための回路構成が不要となる。そのため、動作モードと待機モードとの切替えに応じた駆動用電圧の切替えを、従来よりも簡素化、低コスト化した構成により実現することができる。
【０００９】
本発明の態様の一つは、前記切替部は、カソードを前記電圧入力部側に接続したツェナーダイオードを有し、前記第１電圧の入力に応じた当該ツェナーダイオードの降伏と、前記第２電圧の入力に応じた当該ツェナーダイオードの非降伏とによって、前記定電圧出力部による前記駆動用電圧の出力と当該出力の停止とを切替えるとしてもよい。 
当該構成によれば、上述した制御信号の通知のために必要であった回路構成を無くし、ツェナーダイオードを用いることで、非常に簡素な構成で動作モードと待機モードとの切替えに応じた駆動用電圧の切替えを実現することができる。
【００１０】
なお、前記定電圧出力部は、前記第１電圧を、ほぼそのままのレベルに維持して前記駆動用電圧として制御用ＩＣへ出力してもよいし、前記第１電圧を降圧させた第３電圧を前記駆動用電圧として制御用ＩＣへ出力するとしてもよい。
【００１１】
さらに本発明の態様の一つは、前記電圧供給部は、一次側に入力した電圧を変圧して二次側に出力する変圧部を有し、前記電圧入力部は、前記二次側に出力された前記第１電圧または前記第２電圧を入力するとしてもよい。
当該構成によれば、変圧部の二次側に存在する制御用ＩＣを駆動するための駆動用電圧の切替えを、動作モードと待機モードとの切替えに応じて非常に簡素な構成で実現することができる。
【００１２】
さらに本発明の態様の一つは、前記電圧供給部は、一次側に入力した電圧を変圧して二次側に出力する変圧部を有し、前記制御用ＩＣは、前記一次側への入力のスイッチングを制御するためのＩＣであり、前記電圧入力部は、前記一次側に出力された前記第１電圧または前記第２電圧を入力するとしてもよい。
当該構成によれば、変圧部の一次側に存在する制御用ＩＣを駆動するための駆動用電圧の切替えを、動作モードと待機モードとの切替えに応じて非常に簡素な構成で実現することができる。
【００１３】
本発明の技術的思想は、上述した電源制御回路とは別の物や方法によって実現されてもよい。例えば、上述した電源制御回路が実行する処理工程を有する方法の発明を把握することができる。また、上述した電源制御回路を少なくとも含む電子機器を一つの発明として捉えることも可能である。
【図面の簡単な説明】
【００１４】
【図１】電子機器の主要部の構成を簡易的に示すブロック図である。
【図２】第一の実施形態にかかる回路構成を示す図である。
【図３】第一の実施形態と比較される従来の構成を示す図である。
【図４】第二の実施形態にかかる回路構成を示す図である。
【図５】第二の実施形態と比較される従来の構成を示す図である。
【図６】第三の実施形態にかかる構成を示す図である。
【発明を実施するための形態】
【００１５】
本発明の実施形態を、以下の順序に従って説明する。
１．構成の概略
２．第一の実施形態
３．第二の実施形態
４．第三の実施形態
【００１６】
１．構成の概略
図１は、電子機器１０の本実施形態にかかる主要部の構成を簡易的に示すブロック図である。電子機器１０は、例えば、テレビ、レコーダー、デジタルメディアプレーヤー、その他ＡＶ機器等であり、スイッチング電源２０を含んでいる。スイッチング電源２０は、不図示の電源プラグから入力した交流（ＡＣ）を、整流、平滑化し、変圧部（トランス）で変圧した後、再度整流することで、所定レベルの電源電圧（第１電圧または第２電圧）を後段へ出力する。スイッチング電源２０は、制御用ＩＣ６０の動作モード時には第１電圧（例えば、約１３Ｖ）を出力し、動作モード時よりも省電力状態である制御用ＩＣ６０の待機モード時には第２電圧（例えば、約６Ｖ）を出力する電圧供給部に該当する。
【００１７】
スイッチング電源２０から出力された電源電圧は、レギュレーターとしての第１定電圧回路３０、第２定電圧回路４０それぞれに入力される。第１定電圧回路３０は、スイッチング電源２０から入力される電源電圧が第１電圧か第２電圧かにかかわらず、所定レベル（例えば、約３．３Ｖ）へ降圧させ、当該降圧後の電圧を、制御用ＩＣ６０を駆動させるための駆動用電圧として制御用ＩＣ６０へ供給する。つまり、第１定電圧回路３０は、動作モードと待機モードのいずれにおいても駆動用電圧を制御用ＩＣ６０へ出力する。
【００１８】
第２定電圧回路４０は、スイッチング電源２０から入力される電源電圧が第１電圧である場合に、所定レベルの電圧を、制御用ＩＣ６０を駆動させるための駆動用電圧として制御用ＩＣ６０へ出力する。一方、スイッチング電源２０から入力される電源電圧が第２電圧である場合には、第２定電圧回路４０は、制御用ＩＣ６０への駆動用電圧の出力を停止する。つまり、第２定電圧回路４０は、動作モード時には駆動用電圧を制御用ＩＣ６０へ出力し、待機モード時には駆動用電圧を制御用ＩＣ６０へ出力しない。
【００１９】
制御用ＩＣ６０は、例えば、ＳｏＣ（System-on-Chip）にて構成された集積回路であり、動作モード時において、電子機器１０が備える様々な制御対象７０（例えば、チューナー、デコーダー、ディスプレー、ハードディスクドライブ…等）を所定のプログラムに従って制御し稼働させる。一方、待機モード時には、制御用ＩＣ６０は、制御対象７０を稼働させることはできないが、例えば、外部からの指示（不図示のリモートコントロール装置や、不図示のボタン、スイッチ、タッチパネル等の操作受付部を介してユーザーが入力する指示）の監視等は継続している。つまり制御用ＩＣ６０は、待機モードの際に最低限必要な駆動用電圧を、第１定電圧回路３０から得ている。
【００２０】
フィードバック回路５０は、スイッチング電源２０が出力する電源電圧を検知し、検知結果に応じて、変圧部が発生させる電圧をフィードバック制御する。
制御用ＩＣ６０は、動作モードから待機モードへの切替え、あるいは待機モードから動作モードへの切替えを検知したら、当該切替えを通知するための制御信号をフィードバック回路５０へ送信する（図１内の２点鎖線参照）。これらモード間の切替えは、前記外部からの指示により検知してもよいし、予め定められたモード切替えの条件の成立に伴って検知してもよい。例えば、制御用ＩＣ６０は、リモートコントロール装置や電子機器１０本体に設けられた電源ボタンがオンにされたときに待機モードから動作モードへの切替えであると検知し、当該電源ボタンがオフにされたときに動作モードから待機モードへの切替えであると検知する。また、制御用ＩＣ６０は、例えば動作モード中に外部入力が無い期間がある時間以上続いた場合に、動作モードから待機モードへの切替えであると検知する。
【００２１】
フィードバック回路５０は、前記制御信号に応じて、スイッチング電源２０が出力する電源電圧のレベルを変更させる。具体的には、前記制御信号が動作モードへの切替えを通知する信号である場合はスイッチング電源２０に第１電圧を出力させ、前記制御信号が待機モードへの切替えを通知する信号である場合はスイッチング電源２０に第２電圧を出力させる。
【００２２】
このような構成において、第２定電圧回路４０は、制御用ＩＣ６０を駆動させるための駆動用電圧を制御用ＩＣ６０に出力する定電圧出力部４１と、動作モード時には第１電圧を出力し待機モード時には第１電圧よりも低い第２電圧を出力する電圧供給部（スイッチング電源２０）から電圧を入力する電圧入力部４２と、第１電圧の入力に応じて、定電圧出力部４１による駆動用電圧の出力を実行させ、第２電圧の入力に応じて、定電圧出力部４１による駆動用電圧の出力を停止させる切替部４３とを備える電源制御回路、に該当する。
以下、これまでに説明した構成を用いて実行される幾つかの実施形態を説明する。
【００２３】
２．第一の実施形態
図２は、第一の実施形態にかかる第２定電圧回路４０の回路構成を示す図である。
第２定電圧回路４０は、入力端子Ｔ１においてスイッチング電源２０からの電源電圧を入力し、出力端子Ｔ２から制御用ＩＣ６０へ電圧を出力する。入力端子Ｔ１を含む部分は電圧入力部４２に該当する。入力端子Ｔ１へは、ツェナーダイオードＺ１がカソード側を向けて接続している。ツェナーダイオードＺ１は、入力端子Ｔ１を介して第２電圧が入力された場合にはツェナー降伏せず、第２電圧よりも高い第１電圧が入力された場合にツェナー降伏する設定となっている。
【００２４】
入力端子Ｔ１に第１電圧が入力されることでツェナーダイオードＺ１がツェナー降伏して導通すると、ツェナーダイオードＺ１のアノード側に接続された抵抗Ｒ２，Ｒ３を通じてトランジスタＱ１のベース電位が上昇し、トランジスタＱ１がオン状態となる。抵抗Ｒ２，Ｒ３間には、電圧を安定させるためのコンデンサＣ１やツェナーダイオードＺ２がグラウンドとの間に設置されている。トランジスタＱ１がオン状態になると、入力端子Ｔ１から抵抗Ｒ１およびトランジスタＱ１を介して出力端子Ｔ２側へ電流が流れ、出力端子Ｔ２側に駆動用電圧が発生する。第一の実施形態では、入力端子Ｔ１から入力した第１電圧（例えば、約１３Ｖ）は抵抗Ｒ１によって降圧されて、例えば約３．３Ｖとなり、この降圧後の電圧（第３電圧）が駆動用電圧として制御用ＩＣ６０へ出力される。また、入力端子Ｔ１に第２電圧が入力されて、ツェナーダイオードＺ１がツェナー降伏しない状態になると、トランジスタＱ１がオフ状態となり、出力端子Ｔ２からの駆動用電圧の出力が停止される。ツェナーダイオードＺ１を含む部分は切替部４３に該当し、抵抗Ｒ１、トランジスタＱ１および出力端子Ｔ２を含む部分は定電圧出力部４１に該当する。
【００２５】
図３は、図２に示した第２定電圧回路４０と比較される従来の構成を示す図である。図３に示す回路構成は、本実施形態にかかる切替部４３を有さず、入力端子Ｔ３、抵抗Ｒ４，Ｒ５，Ｒ６、トランジスタＱ２，Ｑ３を含む回路Ｅを有する。回路Ｅにおいては、上述したモード間の切替えを通知するための制御信号を入力端子Ｔ３により入力する。そして、当該制御信号が動作モードへの切替えを通知する信号である場合に限り、ベースに印加された当該制御信号の電圧によりトランジスタＱ２がオン状態となり、当該制御信号が待機モードへの切替えを通知する信号である場合、トランジスタＱ２はオフ状態となる。トランジスタＱ２がオン状態となったことに伴い、続けてトランジスタＱ３がオン状態となり、この結果、トランジスタＱ１がオン状態になり出力端子Ｔ２側に駆動用電圧が発生する。
【００２６】
つまり従来の第２定電圧回路の構成（図３）では、制御用ＩＣから動作モードへの切替えを通知する制御信号が入力端子Ｔ３へ入力されない限り、入力端子Ｔ１に第１電圧が入力されていても、制御用ＩＣへ所要の駆動用電圧を出力することができなかった。一方、第一の実施形態（図２）によれば、第２定電圧回路４０は、このような制御信号の入力を必要とせず、スイッチング電源２０から第１／第２電圧の入力を受けるだけで、第１電圧を入力した時には駆動用電圧を制御用ＩＣへ出力し、第２電圧を入力した時には駆動用電圧を制御用ＩＣへ出力しない、という切替えを実現することができる。また、従来必要であった制御用ＩＣから第２定電圧回路へ前記制御信号を通知するための通信経路や図３に示した回路Ｅを不要とし、替わりにツェナーダイオードＺ１を搭載するだけで、このような切替えを実現する。つまり、動作モードと待機モードとの切替えに応じた制御用ＩＣ６０への駆動用電圧の出力／出力停止の切替えを、従来よりも簡素化、低コスト化した構成により実現することができる。
【００２７】
３．第二の実施形態
図４は、第二の実施形態にかかる第２定電圧回路４０の回路構成を示す図である。
第２定電圧回路４０は、入力端子Ｔ４においてスイッチング電源２０からの電源電圧を入力し、出力端子Ｔ５から制御用ＩＣ６０へ電圧を出力する。入力端子Ｔ４を含む部分は電圧入力部４２に該当する。入力端子Ｔ４へは、抵抗Ｒ７を介してツェナーダイオードＺ３がカソード側を向けて接続している。ツェナーダイオードＺ３は、入力端子Ｔ４を介して第２電圧が入力された場合にはツェナー降伏せず、第２電圧よりも高い第１電圧が入力された場合にツェナー降伏する設定となっている。
【００２８】
入力端子Ｔ４に第１電圧が入力されることで、ツェナーダイオードＺ３がツェナー降伏し、入力端子Ｔ４‐ツェナーダイオードＺ３のカソード（ＦＥＴ（電解効果トランジスタ）Ｑ４のゲート）間の電位差がＦＥＴＱ４のスレッシュホールド電圧を超えることで、ＦＥＴＱ４がオン状態になる。ＦＥＴＱ４がオン状態になると、入力端子Ｔ４からＦＥＴＱ４を介して出力端子Ｔ５側へ電流が流れ、出力端子Ｔ５側に駆動用電圧が発生する。第二の実施形態では、入力端子Ｔ４から入力した第１電圧（例えば、約１３Ｖ）は、ほぼそのままの値で駆動用電圧として制御用ＩＣ６０へ出力される。また、入力端子Ｔ４に第２電圧が入力されて、ツェナーダイオードＺ３がツェナー降伏しない状態になると、ＦＥＴＱ４がオフ状態となり、出力端子Ｔ５からの駆動用電圧の出力が停止される。ツェナーダイオードＺ３を含む部分は切替部４３に該当し、ＦＥＴＱ４および出力端子Ｔ５を含む部分は定電圧出力部４１に該当する。
【００２９】
図５は、図４に示した第２定電圧回路４０と比較される従来の構成を示す図である。図５に示す回路構成は、本実施形態にかかる切替部４３を有さず、入力端子Ｔ６、抵抗Ｒ８，Ｒ９，Ｒ１０、トランジスタＱ５を含む回路Ｆを有する。回路Ｆにおいては、上述したモード間の切替えを通知するための制御信号を入力端子Ｔ６により入力する。そして、当該制御信号が動作モードへの切替えを通知する信号である場合に限り、ベースに印加された当該制御信号の電圧によりトランジスタＱ５がオン状態になり、当該制御信号が待機モードへの切替えを通知する信号である場合、トランジスタＱ５はオフ状態となる。トランジスタＱ５がオン状態となったことに伴いＦＥＴＱ４がオン状態となり、出力端子Ｔ５側に駆動用電圧が発生する。
【００３０】
つまり従来の第２定電圧回路の構成（図５）では、制御用ＩＣから動作モードへの切替えを通知する制御信号が入力端子Ｔ６へ入力されない限り、入力端子Ｔ４に第１電圧が入力されていても、制御用ＩＣへ所要の駆動用電圧を出力することができなかった。一方、第二の実施形態（図４）によれば、第２定電圧回路４０は、このような制御信号の入力を必要とせず、スイッチング電源２０から第１／第２電圧の入力を受けるだけで、第１電圧を入力した時には駆動用電圧を制御用ＩＣへ出力し、第２電圧を入力した時には駆動用電圧を制御用ＩＣへ出力しない、という切替えを実現することができる。また、従来必要であった制御用ＩＣから第２定電圧回路へ前記制御信号を通知するための通信経路や図５に示した回路Ｆを不要とし、替わりにツェナーダイオードＺ３を搭載するだけで、このような切替えを実現する。つまり第一の実施形態と同様に、動作モードと待機モードとの切替えに応じた制御用ＩＣ６０への駆動用電圧の出力／出力停止の切替えを、従来よりも簡素化、低コスト化した構成により実現することができる。
【００３１】
４．第三の実施形態
図６は、第三の実施形態にかかるスイッチング電源２０の構成を簡易的に示している。スイッチング電源２０では、入力された交流（ＡＣ）が、複数のダイオードからなる整流ブリッジ２１を有する整流回路により整流され、次に、電解コンデンサＣ２により平滑化され、直流となって変圧部（トランス２２）の一次側（巻線Ｐ）へ入力する。トランス２２は、前記一次側への入力のスイッチング（パルス幅変調）を制御するためのＩＣである制御用ＩＣ２５によるスイッチング制御に応じて、一次側から入力した電圧に基づいて交流を発生させ、二次側（巻線Ｓ）に出力する。二次側では、ダイオードＤ２や平滑用のコンデンサＣ３の作用により、上述の第１定電圧回路３０および第２定電圧回路４０（図１）へ出力される第１電圧または第２電圧が発生する。
【００３２】
また、トランス２２の一次側の帰還巻線Ｔに発生した電圧は、ダイオードＤ１や平滑用のコンデンサＣ４の作用により、例えば、約１５Ｖあるいは約７Ｖの電源電圧として第３定電圧回路２３および第４定電圧回路２４へ出力される。このように出力される約１５Ｖ、約７Ｖの各電圧も、本発明における第１電圧、第２電圧の一例である。上述したように、フィードバック回路５０（図１）は、制御用ＩＣ６０から送信される前記制御信号に応じて、スイッチング電源２０（トランス２２）が前記二次側へ出力する電源電圧のレベルを（約１３Ｖ（第１電圧）か約６Ｖ（第２電圧）かに）変更させるが、同様に前記制御信号に応じて、一次側（ダイオードＤ１のカソード側）へ出力する電源電圧のレベルも（約１５Ｖ（第１電圧）か約７Ｖ（第２電圧）かに）変更させる。
【００３３】
第３定電圧回路２３は、上述した第１定電圧回路３０（図１）と同様の振る舞いをする。つまり、第３定電圧回路２３は、スイッチング電源２０のトランス２２から入力される電源電圧が第１電圧（約１５Ｖ）か第２電圧（約７Ｖ）かにかかわらず、所定レベル（例えば、約３．３Ｖ）へ降圧させ、当該降圧後の電圧を、制御用ＩＣ２５を駆動させるための駆動用電圧として制御用ＩＣ２５へ供給する。すなわち、第３定電圧回路２３は、動作モードと待機モードのいずれにおいても駆動用電圧を制御用ＩＣ２５へ出力する。
【００３４】
一方、第４定電圧回路２４は、上述した第２定電圧回路４０（図１，２，４）と同様の振る舞いをする。つまり、第４定電圧回路２４（電源制御回路の一例）は、定電圧出力部４１、電圧入力部４２および切替部４３を備え、スイッチング電源２０のトランス２２から入力される電源電圧が第１電圧である場合に、所定レベルの電圧を駆動用電圧として制御用ＩＣ２５へ出力する。一方、入力される電源電圧が第２電圧である場合には、第４定電圧回路２４は、制御用ＩＣ２５への駆動用電圧の出力を停止する。すなわち、第４定電圧回路２４は、動作モード時には駆動用電圧を制御用ＩＣ２５へ出力し、待機モード時には駆動用電圧を制御用ＩＣ２５へ出力しない。なお、第４定電圧回路２４が採用する回路構成は、図２，４のいずれに示した構成でもよい。
【００３５】
このような第三の実施形態によれば、待機モード時の制御用ＩＣ２５における電力消費を低減することができる。また、第４定電圧回路２４は、スイッチング電源２０のトランス２２から第１／第２電圧の入力を受けるだけで、第１電圧を入力した時には駆動用電圧を制御用ＩＣ２５へ出力し、第２電圧を入力した時には駆動用電圧を制御用ＩＣ２５へ出力しない、という切替えを実現することができる。そのため、トランス２２の二次側から一次側へ跨いで前記制御信号を第４定電圧回路２４へ通知するための経路（一次側と二次側とを絶縁しつつ信号の伝達を可能とするフォトカプラ等の部品）を必要とせず、動作モードと待機モードとの切替えに応じた制御用ＩＣ２５への駆動用電圧の出力／出力停止の切替えを、簡素化、低コスト化した構成により実現することができる。
【符号の説明】
【００３６】
１０…電子機器、２０…スイッチング電源、２２…トランス、２３…第３定電圧回路、２４…第４定電圧回路、２５…制御用ＩＣ、３０…第１定電圧回路、４０…第２定電圧回路、４１…定電圧出力部、４２…電圧入力部、４３…切替部、５０…フィードバック回路、６０…制御用ＩＣ、７０…制御対象 
【図１】
2015114684.tif 000003
【図２】
2015114684.tif 000004
【図３】
2015114684.tif 000005
【図４】
2015114684.tif 000006
【図５】
2015114684.tif 000007
【図６】
2015114684.tif 000008